【手続補正書】
【提出日】平成16年7月30日(2004.7.30)
【手続補正１】
【補正対象書類名】明細書
【補正対象項目名】特許請求の範囲
【補正方法】変更
【補正の内容】
【特許請求の範囲】
【請求項１】
時系列に継続するアナログ情報をデジタル符号化圧縮データに変換するデジタル符号化圧縮手段、及びこのデジタル符号化圧縮されたデータを復号しかつ伸張するデジタル復号化伸張手段と、デジタル符号化圧縮データが記録される不揮発性メモリカードとの間でデジタル符号化圧縮データの受け渡しを行い、前記不揮発性メモリカードの所定の記録エリアに前記デジタル符号化圧縮データを記録し、また前記不揮発性メモリカードからデジタル符号化圧縮データを読み出し制御するマイクロプロセッサ手段を含む記録再生制御手段と、
前記デジタル符号化圧縮手段で生成されたデジタル符号化圧縮データの記録時に、該デジタル符号化圧縮データの誤り訂正データを生成し、また前記デジタル符号化圧縮データと誤り訂正データを所定のフォーマットのファイルデータに変換して、前記不揮発性メモリカードの所定の記録エリアに書込む、前記記録再生制御手段に設けられたデジタルデータ書込制御手段と、
前記不揮発性メモリカードに書込記録されたファイルデータの再生時に、前記ファイルデータを読み出し、前記ファイルデータに含まれる誤り訂正データに基づいて、前記デジタル符号化圧縮データの誤り訂正を行い、該誤り訂正状態によってデータの誤りが訂正不可能な場合、該誤り訂正不可能なデータの処理をスキップして、前記デジタル復号化伸張手段によるデジタル符号化圧縮データの復号及び伸張処理を行わず、該誤り訂正処理で誤りがないとされたか、あるいは誤りが訂正された前記デジタル符号化圧縮データを前記デジタル復号化伸張手段で復号し、伸張してアナログ信号に変換して出力するように制御する前記記録再生制御手段に設けられたデジタルデータ復号制御手段と、
前記復号され、伸張されたデジタル信号を変換したアナログ信号を時系列に継続して出力する出力手段と、
を具備したことを特徴とするデジタルデータ記録再生装置。
【請求項２】
前記デジタルデータ書込制御手段は、前記デジタル符号化圧縮データとそのデータの誤り訂正用データを、前記不揮発性メモリカードの記録エリアの記録ページ単位で生成して前記所定のファィルデータに変換し、前記デジタルデータ復号制御手段は、前記ファィルデータを前記ページ単位で読み出して、前記再生された誤り訂正用データに基づいて前記デジタル符号化圧縮データの誤り訂正を行い、誤り訂正が不可能なデータが含まれるページをスキップして、誤りがないとされたか、誤り訂正がなされたページのみのデジタル符号化圧縮データを前記デジタル復号化伸張手段で復号し、伸張してアナログ信号に変換して出力するように制御することを特徴とした請求項１記載のデジタルデータ記録再生装置。
【手続補正２】
【補正対象書類名】明細書
【補正対象項目名】００２０
【補正方法】変更
【補正の内容】
【００２０】
【課題を解決するための手段】
本発明は、時系列に継続するアナログ情報をデジタル符号化圧縮データに変換するデジタル符号化圧縮手段、及びこのデジタル符号化圧縮されたデータを復号しかつ伸張するデジタル復号化伸張手段と、デジタル符号化圧縮データが記録される不揮発性メモリカードとの間でデジタル符号化圧縮データの受け渡しを行い、前記不揮発性メモリカードの所定の記録エリアに前記デジタル符号化圧縮データを記録し、また前記不揮発性メモリカードからデジタル符号化圧縮データを読み出し制御するマイクロプロセッサ手段を含む記録再生制御手段と、前記デジタル符号化圧縮手段で生成されたデジタル符号化圧縮データの記録時に、該デジタル符号化圧縮データの誤り訂正データを生成し、また前記デジタル符号化圧縮データと誤り訂正データを所定のフォーマットのファイルデータに変換して、前記不揮発性メモリカードの所定の記録エリアに書込む、前記記録再生制御手段に設けられたデジタルデータ書込制御手段と、前記不揮発性メモリカードに書込記録されたファイルデータの再生時に、前記ファイルデータを読み出し、前記ファイルデータに含まれる誤り訂正データに基づいて、前記デジタル符号化圧縮データの誤り訂正を行い、該誤り訂正状態によってデータの誤りが訂正不可能な場合、該誤り訂正不可能なデータの処理をスキップして、前記デジタル復号化伸張手段によるデジタル符号化圧縮データの復号及び伸張処理を行わず、該誤り訂正処理で誤りがないとされたか、あるいは誤りが訂正された前記デジタル符号化圧縮データを前記デジタル復号化伸張手段で復号し、伸張してアナログ信号に変換して出力するように制御する前記記録再生制御手段に設けられたデジタルデータ復号制御手段と、前記復号され、伸張されたデジタル信号を変換したアナログ信号を時系列に継続して出力する出力手段と、を具備したことを特徴とするデジタル記録再生装置である。
【手続補正３】
【補正対象書類名】明細書
【補正対象項目名】００２１
【補正方法】変更
【補正の内容】
【００２１】
また、本発明は、前記デジタルデータ書込制御手段は、前記デジタル符号化圧縮データとそのデータの誤り訂正用データを、前記不揮発性メモリカードの記録エリアの記録ページ単位で生成して前記所定のファィルデータに変換し、前記デジタルデータ復号制御手段は、前記ファィルデータを前記ページ単位で読み出して、前記再生された誤り訂正用データに基づいて前記デジタル符号化圧縮データの誤り訂正を行い、誤り訂正が不可能なデータが含まれるページをスキップして、誤りがないとされたか、誤り訂正がなされたページのみのデジタル符号化圧縮データを前記デジタル復号化伸張手段で復号し、伸張してアナログ信号に変換して出力するように制御することを特徴としているデジタル記録再生装置である。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００４１
【補正方法】変更
【補正の内容】
【００４１】
この他の実施形態の動作のステップＳ１１〜Ｓ１４の処理動作は、図２の前記ステップＳ１〜Ｓ４の処理動作と同じである。前記ステップＳ１４でＥＣＣチェックの結果、ＥＣＣチェックＮＧと判定されると、ステップＳ１７に移行して、前記ステップＳ１４で判定されたページのデータ領域のデジタル符号化圧縮データの復号伸張処理を行わず、ステップＳ１７で全ページのデータ読み取りが終了したか判定し、再度前記ステップＳ１３に戻り、次のページのデジタル符号化圧縮データを読み出して、そのページのステップＳ１４〜Ｓ１７の処理動作を繰り返すようになっている。前記ステップＳ１４でＥＣＣチェックＯＫと判定されると、ステップＳ１５で、前記ミュート回路１５の動作をオフする制御信号を生成供給して、ステップＳ１６で前記音声処理ＩＣ３１の復号化伸張回路２６で復号伸張し、前記Ｄ／Ａ回路２７でアナログ信号に変換後、前記音声出力回路１３を経てスピーカ１４から音声として出力するようになっている。
【手続補正９】
【補正対象書類名】明細書
【補正対象項目名】００４８
【補正方法】変更
【補正の内容】
【００４８】
以上説明したように本発明は、誤り訂正データで訂正不可能なデータが存在する場合には、その訂正不可能データ部分は誤りデータを含んだ状態で復号伸張再生させたり、あるいは、訂正不可能データ部分をスキップ、または出力手段をミュートして訂正不可能データ部分を非出力状態として、再生動作を継続されるものである。